(57)【要約】【課題】改善された吐出容器を提供する。【解決手段】吐出容器１は、内容物を収容可能な容器本体２と、ノズル３ａを有するとともに容器本体２に装着されたキャップ３とを備え、ノズル３ａは、内容物の吐出口４が形成された先端面５を有する先端周壁６を有し、先端周壁６は、互いに間隔Ｄを空けて対向する第１壁８及び第２壁９と、第１壁８と第２壁９とを連結する連結壁１０とからなるコ字形状をなす複数の立設壁７を有し、各立設壁７の先端面１１は、連結壁１０から離れるにつれて先端周壁６の基端側に傾斜する傾斜面１２を有する。【選択図】図４
2018203309.tif 000002
【特許請求の範囲】
【請求項１】
内容物を収容可能な容器本体と、
ノズルを有するとともに前記容器本体に装着されたキャップとを備え、
前記ノズルは、前記内容物の吐出口が形成された先端面を有する先端周壁を有し、
前記先端周壁は、互いに間隔を空けて対向する第１壁及び第２壁と、前記第１壁と前記第２壁とを連結する連結壁とからなるコ字形状をなす複数の立設壁を有し、
各立設壁の先端面は、前記連結壁から離れるにつれて前記先端周壁の基端側に傾斜する傾斜面を有する、吐出容器。
【請求項２】
各立設壁において、前記第１壁の幅は、前記間隔より大きい、請求項１に記載の吐出容器。
【請求項３】
各立設壁において、前記第１壁は、当該立設壁と隣り合う１つの前記立設壁における第２壁に直接的に連結し、又は当該立設壁と隣り合う２つの前記立設壁のうちの１つにおける第２壁に直接的に連結している、請求項１又は２に記載の吐出容器。
【請求項４】
各立設壁において、前記傾斜面は、当該立設壁と、当該立設壁と隣り合う１つ又は２つの前記立設壁との連結部から前記連結壁までに亘って設けられている、請求項３に記載の吐出容器。
【請求項５】
各立設壁において、前記傾斜面は、前記基端側に向けて突出するように湾曲している、請求項３又は４に記載の吐出容器。
【請求項６】
前記先端周壁は、４つの立設壁からなる、請求項３乃至５のいずれか一項に記載の吐出容器。
【請求項７】
前記先端周壁は、２つの立設壁からなる、請求項３乃至５のいずれか一項に記載の吐出容器。
【請求項８】
前記先端周壁は、回転対称性を有する、請求項１乃至７のいずれか一項に記載の吐出容器。
【発明の詳細な説明】
【技術分野】
【０００１】
本開示は、吐出容器に関する。
【背景技術】
【０００２】
吐出容器として、内容物を収容可能な容器本体と、ノズルを有するとともに容器本体に装着されたキャップとを備えるものが知られている。このような吐出容器において、ノズルは、例えば特許文献１に記載されるように、円筒状の先端周壁を有することがある。
【先行技術文献】
【特許文献】
【０００３】
【特許文献１】特開平９−９５３４８号公報
【発明の概要】
【発明が解決しようとする課題】
【０００４】
特許文献１に記載されるような吐出容器には、改善の余地がある。
【０００５】
本開示の目的は、改善された吐出容器を提供することにある。
【課題を解決するための手段】
【０００６】
吐出容器の一態様は、内容物を収容可能な容器本体と、ノズルを有するとともに前記容器本体に装着されたキャップとを備えている。前記ノズルは、前記内容物の吐出口が形成された先端面を有する先端周壁を有している。前記先端周壁は、互いに間隔を空けて対向する第１壁及び第２壁と、前記第１壁と前記第２壁とを連結する連結壁とからなるコ字形状をなす複数の立設壁を有している。各立設壁の先端面は、前記連結壁から離れるにつれて前記先端周壁の基端側に傾斜する傾斜面を有している。
【発明の効果】
【０００７】
本開示によれば、改善された吐出容器を提供できる。
【図面の簡単な説明】
【０００８】
【図１】第１実施形態に係る吐出容器を示す一部断面側面図である。
【図２】図１の部分拡大図である。
【図３】図１に示すキャップ本体の上面図である。
【図４】図１に示すキャップ本体の斜視図である。
【図５】第２実施形態に係る吐出容器におけるキャップ本体の斜視図である。
【発明を実施するための形態】
【０００９】
以下、図面を参照して、一実施形態に係る吐出容器について詳細に例示説明する。まず、図１乃至図４を参照して、第１実施形態に係る吐出容器１について詳細に例示説明する。図１に示すように、本実施形態に係る吐出容器１は、内容物を収容可能な容器本体２と、容器本体２に装着されたキャップ３とを備えている。キャップ３は、ノズル３ａを有している。図２乃至図４に示すように、ノズル３ａは、内容物の吐出口４が形成された先端面５を有する先端周壁６を有している。本実施形態において、上方とは、ノズル３ａの先端周壁６の中心軸線Ｏに沿って先端周壁６の基端側から先端側に向かう方向（図１における上方）を意味する。
【００１０】
図１に示すように、容器本体２は、内容物を収容可能な収容空間に連なる筒状（円筒状）の口部２ａと、口部２ａに連なるとともに口部２ａより幅が拡大した胴部２ｂとからなっている。容器本体２は、容器本体２（より具体的には胴部２ｂ）を圧搾（スクイズ）する操作により、弾性変形可能な可撓性を有している。本実施形態では、容器本体２は、胴部２ｂに形成された底面２ｃを水平面に載置することで、吐出口４を鉛直方向における上方に向けて自立できる。例えば、容器本体２はボトル状容器であってよい。このように、容器本体２は自立可能であり、吐出口４は、容器本体２の自立状態で鉛直方向における上方を向くように構成されている。しかし、胴部２ｂは、このような底面２ｃを有していなくてもよい。例えば、容器本体２は、チューブ状容器であってもよい。容器本体２は、例えば合成樹脂製であってよい。容器本体２は、内容物を収容可能な収容空間を形成する内層と、内層を内側に収容した外層とを有する二重容器（図示省略）であってもよい。この場合、内層と外層との間には、内容物の吐出に伴う内層の収縮変形により、外層に形成された開口から外気を導入可能な空気収容空間を形成可能である。二重容器は、内層と外層とが一体に成形され、内層が外層から剥離可能な積層剥離容器（デラミ容器）であってもよいし、内層と外層とが組み付けられた複合容器であってもよい。内容物は、例えば、マヨネーズ又はケチャップなどのような高粘度の流体であってよいが、その他の流体であってもよい。
【００１１】
図３及び図４に示すように、先端周壁６は、複数（本実施形態では４つ）の立設壁７を有している。本実施形態では、先端周壁６は、複数（より具体的には４つ）の立設壁７からなっている。各立設壁７は、互いに間隔Ｄを空けて対向する第１壁８及び第２壁９と、第１壁８と第２壁９とを連結する連結壁１０とからなるコ字形状をなしている。図３及び図４における二点鎖線は、互いに隣り合う２つの立設壁７同士の連結部７ａを示す。本実施形態では、４つの立設壁７（の先端面１１）によって吐出口４が形成されている。本実施形態では、先端周壁６は、回転対称性（より具体的には中心軸線Ｏを中心とする４回対称性）を有している。本実施形態では、４つの立設壁７は、第１立設壁７Ａと第２立設壁７Ｂと第３立設壁７Ｃと第４立設壁７Ｄとからなっている。各立設壁７の先端面１１は、連結壁１０から離れるにつれて先端周壁６の基端側に傾斜する傾斜面１２を有している。
【００１２】
図３に示すように、本実施形態では、各立設壁７において、第１壁８の幅Ｗ１は、間隔Ｄより大きくなっている。本実施形態では、各立設壁７において、第２壁９の幅Ｗ２は、第１壁８の幅Ｗ１と等しくなっている。
【００１３】
図４に示すように、本実施形態では、各立設壁７において、第１壁８は、当該立設壁７と隣り合う２つの立設壁７のうちの１つにおける第２壁９に直接的に連結している。本実施形態では、各立設壁７において、傾斜面１２は、当該立設壁７と、当該立設壁７と隣り合う２つの立設壁７との連結部７ａから連結壁１０までに亘って設けられている。本実施形態では、各立設壁７において、傾斜面１２は、前記基端側に向けて突出するように湾曲している。本実施形態では、ノズル３ａにおける基端側部分は、段付き円筒状をなしており、ノズル３ａにおける先端側部分は、先端周壁６からなっている。しかし、ノズル３ａにおける基端側部分の形状は適宜変更が可能である。例えば、ノズル３ａにおける基端側部分は、先端周壁６に滑らかに連なる形状をなしていてもよい。
【００１４】
本実施形態では、図２に示すように、キャップ３は、口部２ａと係合する内周面を有する係合筒３ｂと、係合筒３ｂの上端に連なるとともにノズル３ａが形成された頂壁３ｃとを有している。係合筒３ｂと口部２ａとは、本実施形態ではねじ部を介して互いに係合している。しかし、係合筒３ｂと口部２ａとは、嵌合部を介して互いに係合する構成としてもよい。キャップ３は、本実施形態では、吐出口４を開閉可能な蓋部３ｄを有している。蓋部３ｄは、本実施形態ではヒンジ３ｅによって係合筒３ｂに連結されている。しかし、蓋部３ｄは、係合筒３ｂ又は頂壁３ｃに着脱可能に設けてもよい。蓋部３ｄには、先端周壁６の先端面５に当接することで吐出口４を封止可能な突出部３ｆが設けられている。突出部３ｆはドーム状をなしている。蓋部３ｄには、突出部３ｆを包囲する円筒状の封止筒３ｇが設けられている。封止筒３ｇは、ノズル３ａにおける基端側部分の外周面に液密に当接可能である。本実施形態では、キャップ３は、一体成形品からなっている。キャップ３は、例えば合成樹脂製であってよい。
【００１５】
以上、説明した本実施形態に係る吐出容器１によれば、例えば、マヨネーズのような高粘度の内容物を吐出する場合に、ノズル３ａの外周面への内容物の付着による汚れの発生を抑制できる。より具体的に説明すると、まず、吐出容器１を傾倒させた後の容器本体２を圧搾する操作（圧搾操作）により、内容物を吐出口４から吐出することができる。次いで、圧搾操作を止めると、吐出口４から外に出た内容物の一部は、ノズル３ａ（より具体的には先端周壁６）の先端面５に残される。このとき、ノズル３ａの先端面５に残された内容物（残留内容物）を、傾斜面１２を有する各立設壁７の先端面１１によって良好に保持することができる。すなわち、傾斜面１２によって残留内容物との接触面積を増加でき、しかも、傾斜面１２における上側部分によって、残留内容物をより上側で保持できることにより、残留内容物の姿勢を良好に維持することができる。したがって、残留内容物をノズル３ａの外周面に向けて倒れ込ませることなく、吐出口４を鉛直方向における上方に向けることができる。そして、容器本体２の復元に伴うサクションバック作用により、残留内容物を吐出口４の内側に向けて引き戻すことができる。本実施形態では、各立設壁７において、傾斜面１２は、当該立設壁７と、当該立設壁７と隣り合う２つの立設壁７との連結部７ａから連結壁１０までに亘って設けられているため、内容物との接触面積を効果的に増加させ、残留内容物の倒れ込みを抑制できる。本実施形態では、各立設壁７において、傾斜面１２は、前記基端側に向けて突出するように湾曲しているので、この点からも、内容物との接触面積を効果的に増加させ、残留内容物の倒れ込みを抑制できる。
【００１６】
次に、図５を参照して、第２実施形態に係る吐出容器について詳細に例示説明する。図５に示すように、本実施形態に係る吐出容器においては、先端周壁６’は、２つの立設壁７からなっている。図５における二点鎖線は、２つの立設壁７同士の連結部７ａを示す。本実施形態では、先端周壁６’は、中心軸線Ｏを中心とする２回対称性を有している。本実施形態では、２つの立設壁７は、第１立設壁７Ａと第２立設壁７Ｂとからなっている。本実施形態では、各立設壁７において、第１壁８は、当該立設壁７と隣り合う１つの立設壁７における第２壁９に直接的に連結している。本実施形態では、各立設壁７において、傾斜面１２は、当該立設壁７と、当該立設壁７と隣り合う１つの立設壁７との連結部７ａから連結壁１０までに亘って設けられている。本実施形態では、ノズル３ａ’における基端側部分は、角錐台状をなしており、ノズル３ａ’における先端側部分は、先端周壁６’からなっている。しかし、ノズル３ａ’における基端側部分の形状は適宜変更が可能である。その他の構成は、第１実施形態に係る吐出容器１の場合と同様の構成となっている。第２実施形態に係る吐出容器によれば、第１実施形態の場合と同様に、ノズル３ａ’の外周面への内容物の付着による汚れの発生を抑制できる。
【００１７】
上記の説明は、一実施形態を示したものにすぎず、特許請求の範囲を限定するものではない。上記の実施形態は、本開示の基礎的事項に基づいて、種々の変更が可能である。
【００１８】
例えば、各立設壁７において、第１壁８の幅Ｗ１は、間隔Ｄより小さくてもよい。各立設壁７において、第１壁８は、当該立設壁７と隣り合う２つの立設壁７のうちの１つにおける第２壁９に間接的に（すなわち、他の壁を介して）連結していてもよい。各立設壁７において、第１壁８は、第１壁８は、当該立設壁７と隣り合う１つの立設壁７における第２壁９に間接的に（すなわち、他の壁を介して）連結していてもよい。各立設壁７において、傾斜面１２は、当該立設壁７と、当該立設壁７と隣り合う１つ又は２つの立設壁７との連結部７ａから連結壁１０までの一部に設けられていてもよい。各立設壁７において、傾斜面１２は、平面状をなしていてもよい。先端周壁６、６’に設ける立設壁７の数は、２つ以上であればよい。立設壁７の数を４つ以上とした場合には、内容物の吐出後に吐出口４を鉛直方向における上方に向ける際に、確実にいずれかの立設壁７で残留内容物を下から支えることができ、残留内容物の姿勢を効果的に維持できる。先端周壁６、６’は、回転対称性を有していなくてもよい（例えば、立設壁７毎に、間隔Ｄが異なっていたり、第１壁８の幅Ｗ１が異なっていたりしてもよい）。
【符号の説明】
【００１９】
１  吐出容器
２  容器本体
２ａ  口部
２ｂ  胴部
２ｃ  底面
３  キャップ
３ａ、３ａ’  ノズル
３ｂ  係合筒
３ｃ  頂壁
３ｄ  蓋部
３ｅ  ヒンジ
３ｆ  突出部
３ｇ  封止筒
４  吐出口
５  先端周壁の先端面
６、６’  先端周壁
７  立設壁
７Ａ  第１立設壁
７Ｂ  第２立設壁
７Ｃ  第３立設壁
７Ｄ  第４立設壁
７ａ  連結部
８  第１壁
９  第２壁
１０  連結壁
１１  立設壁の先端面
１２  傾斜面
Ｏ  中心軸線
Ｄ  間隔
Ｗ１  第１壁の幅
Ｗ２  第２壁の幅
【図１】
2018203309.tif 000003
【図２】
2018203309.tif 000004
【図３】
2018203309.tif 000005
【図４】
2018203309.tif 000006
【図５】
2018203309.tif 000007